(57)【要約】【課題】ＡＰＣ制御を短時間で行うことができる画像形成装置を提供することである。【解決手段】レーザダイオード３０ＹＫは、ビームＢＹＫを放射する。フォトダイオードは、レーザダイオード３０ＹＫの出力を検知する。分離部３８ＹＫは、ビームＢＹＫをビームＢＹ，ＢＫに分離する。偏向器４３は、異なる偏向面を用いてビームＢＹ，ＢＫを偏向する。感光体ドラム４Ｋは、期間ＴＫにおいてビームＢＫにより走査される。感光体ドラム４Ｙは、期間ＴＹにおいてビームＢＹにより走査される。ＡＰＣ回路６０Ｋ，６０Ｙはそれぞれ、レーザダイオード３０ＹＫの出力に基づいて、感光体ドラム４Ｋ，４ＹがビームＢＫ，ＢＹにより走査されるときのレーザダイオード３０ＹＫのＡＰＣ制御を行う。【選択図】図２
2013156520.tif 000002
【特許請求の範囲】
【請求項１】
第１のビームを放射する光源と、
前記光源の出力を検知する検知手段と、
前記第１のビームを第２のビーム及び第３のビームに分離する分離手段と、
複数の偏向面を有する偏向手段であって、異なる偏向面を用いて前記第２のビーム及び第３のビームを偏向する偏向手段と、
第１の期間において前記第２のビームにより走査される第１の感光体と、
前記第１の期間とは異なる第２の期間において前記第３のビームにより走査される第２の感光体と、
前記光源の出力に基づいて、前記第１の感光体が前記第２のビームにより走査されるときの該光源の自動光量制御を行う第１のＡＰＣ回路と、
前記光源の出力に基づいて、前記第２の感光体が前記第３のビームにより走査されるときの該光源の自動光量制御を行う第２のＡＰＣ回路と、
を備えていること、
を特徴とする画像形成装置。
【請求項２】
前記第２の期間の終了から前記第１の期間の開始まで第３の期間は、該第１の期間の終了から該第２の期間の開始までの第４の期間よりも長く、
前記第１のＡＰＣ回路及び前記第２のＡＰＣ回路は、前記第３の期間において前記光源の自動光量制御を行うこと、
を特徴とする請求項１に記載の画像形成装置。
【請求項３】
前記第１の感光体よりも前記第２のビームの走査方向の上流側に設けられているセンサを、
更に備えており、
前記第１のＡＰＣ回路及び前記第２のＡＰＣ回路は、前記第２のビームが前記第１の感光体よりも走査方向の上流側を走査されている期間において、前記光源の自動光量制御を行うこと、
を特徴とする請求項１に記載の画像形成装置。
【請求項４】
前記第１のＡＰＣ回路及び前記第２のＡＰＣ回路は、コンデンサの充放電により前記光源に流れる電流を制御して、該光源の自動光量制御を行うこと、
を特徴とする請求項１ないし請求項３のいずれかに記載の画像形成装置。
【発明の詳細な説明】
【技術分野】
【０００１】
本発明は、画像形成装置に関し、より特定的には、感光体に光を走査して静電潜像を形成する画像形成装置に関する。
【背景技術】
【０００２】
従来の一般的な画像形成装置に関する発明としては、例えば、特許文献１に記載の光走査装置が知られている。該光走査装置では、光源の出射光を光分割手段で２本に分けている。２本に分けられた光は、互いに角度をずらして重ねた２枚のポリゴンミラーを同軸で回転させる偏向手段のポリゴンミラーのそれぞれに入射する。これにより、２本の光は、互いに異なるタイミングで２つの感光体上を走査される。以上のような構成を有する光走査装置では、２本に分けられた光が互いに異なるタイミングで感光体上を走査されるので、１つの光源により２つの感光体に静電潜像を形成することが可能である。
【０００３】
ところで、各感光体は、適切な強度の光により走査される必要がある。より詳細には、各感光体の劣化の度合いはそれぞれ異なっているので、光の適切な強度は感光体毎に異なっている。そのため、画像形成装置では、一般的には、以下に説明するＡＰＣ制御（自動光量制御）が行われる。図８は、ＡＰＣ回路５００の回路図である。
【０００４】
ＡＰＣ制御とは、光が感光体を走査される前に、制御部が光の強度をフィードバック制御する動作である。図８に示すように、ＡＰＣ回路５００は、スイッチ５０６、オペアンプ５０８、定電流回路５１０、抵抗５１２及びコンデンサ５１４を備えている。また、ＡＰＣ回路５００には、光源５０２が接続されている。光源５０２は、レーザダイオード５０２ａ及びフォトダイオード５０２ｂを備えている。スイッチ５０４は、レーザダイオード５０２ａとＡＰＣ回路５００との間に接続されている。
【０００５】
スイッチ５０４は、レーザダイオード５０２ａに接続されており、ＶＩＤＥＯ信号ＹＫにより導通状態と非導通状態とが切り換えられる。オペアンプ５０８、スイッチ５０６及び定電流回路５１０は、この順に直列に接続されている。オペアンプ５０８の反転入力端子には、フォトダイオード５０２ｂが接続されている。オペアンプ５０８の非反転入力端子には、発光光量信号ＹＫが入力している。スイッチ５０６は、ＡＰＣ信号ＹＫにより導通状態と非導通状態とが切り換えられる。定電流回路５１０は、スイッチ５０４に接続されている。
【０００６】
また、フォトダイオード５０２ｂと接地電位との間には、抵抗５１２が接続されている。これにより、フォトダイオード５０２ｂから出力された電流が電圧に変換されて、該電圧がオペアンプ５０８の反転入力端子に入力する。
【０００７】
また、スイッチ５０６と定電流回路５１０との間には、コンデンサ５１４の一端が接続されている。コンデンサ５１４の他端は、接地されている。
【０００８】
次に、ＡＰＣ回路５００の動作について説明する。定電流回路５１０が出力する電流を電流ＩＡＰＣ−ＹＫとする。レーザダイオード５０２ａに流れる電流を電流ＩＳＷ−ＹＫとする。フォトダイオード５０２ｂが出力する電流を電流ＩＭ−ＹＫとする。反転入力端子に入力する電圧を電圧ＶＲ−ＹＫとする。コンデンサ５１４に印加される電圧を電圧ＶＳ−ＹＫとする。
【０００９】
定電流回路５１０は、電圧ＶＳ−ＹＫに応じた大きさの電流ＩＡＰＣ−ＹＫを出力する。ここで、ＶＩＤＥＯ信号ＹＫがハイレベルからローレベルに切り替わると、スイッチ５０４が非導通状態から導通状態に切り替えられる。これにより、レーザダイオード５０２ａには、電流ＩＳＷ−ＹＫが流れる。
【００１０】
レーザダイオード５０２ａは、電流ＩＳＷ−ＹＫの大きさに応じた強度の光を放射する。光の一部は、フォトダイオード５０２ｂに入射する。フォトダイオード５０２ｂは、光の強度に応じた電流ＩＭ−ＹＫを出力する。電流ＩＭ−ＹＫは、抵抗５１２を流れることによって、電圧ＶＲ−ＹＫに変換される。
【００１１】
ここで、ＡＰＣ信号ＹＫがローレベルであると、スイッチ５０６が導通状態となる。そして、オペアンプ５０８は、発光光量信号ＹＫが電圧ＶＲ−ＹＫよりも高い場合にはコンデンサ５１４に充電電流を流して電圧ＶＳ−ＹＫを高くし、発光光量信号ＹＫが電圧ＶＲ−ＹＫよりも低い場合にはコンデンサ５１４に放電電流を流して電圧ＶＳ−ＹＫを低くする。これにより、定電流回路５１０は、電圧ＶＳ−ＹＫに応じた電流ＩＡＰＣ−ＹＫを出力する。すなわち、ＡＰＣ回路５００は、フォトダイオード５０２ａが放射する光の強度が所定強度よりも小さい場合には、該光の強度が所定強度になるように、電流ＩＡＰＣ−ＹＫを大きくする。一方、ＡＰＣ回路５００は、フォトダイオード５０２ａが放射する光の強度が所定強度よりも大きい場合には、該光の強度が所定強度になるように、電流ＩＡＰＣ−ＹＫを小さくする。
【００１２】
また、ＡＰＣ信号ＹＫがハイレベルであると、スイッチ５０６が非導通状態となる。この場合には、コンデンサ５１４の充放電がなされないので電圧ＶＲ−ＹＫが維持される。
【００１３】
以上のように構成されたＡＰＣ回路５００が特許文献１に記載の光走査装置に適用されると、以下に説明する動作が行われる。図９は、ＡＰＣ制御時のタイミングチャートである。
【００１４】
まず、時刻ｔ１０１において、ＶＩＤＥＯ信号ＹＫ及びＡＰＣ信号ＹＫがローレベルに切り替えられる。この際、発光光量信号ＹＫは、Ｋ（黒色）の感光体ドラムに適した電圧Ｖａとなっている。これにより、ＡＰＣ回路５００は、ＡＰＣ制御を行って、光がＫの感光体を走査される際に光源５０２が放射する光の強度Ｐを制御する。図９では、強度Ｐは増加している。
【００１５】
時刻ｔ１０２において、光がＳＯＳセンサに入力することにより、ＳＯＳ信号がハイレベルからローレベルに切り替わる。そして、時刻ｔ１０２から所定時間経過後の時刻ｔ１０４に、ＶＩＤＥＯ信号ＹＫによって光源５０２は、光を放射して、Ｋの感光体への静電潜像の書き込みを行う。
【００１６】
Ｋの感光体への静電潜像の書き込みが終了すると、時刻ｔ１０６において、発光光量信号ＹＫが、Ｙ（黄色）の感光体ドラムに適した電圧Ｖｂに切り替えられる。時刻ｔ１０７において、ＡＰＣ回路５００は、ＡＰＣ制御を行って、光がＹの感光体を走査される際に光源５０２が放射する光の強度Ｐを制御する。図９では、強度Ｐは減少している。
【００１７】
ＡＰＣ制御が終了すると時刻ｔ１０９において、ＶＩＤＥＯ信号ＹＫによって光源５０２は、光を放射して、Ｙの感光体への静電潜像の書き込みを行う。以上の動作により、１ライン分の静電潜像がＫの感光体及びＹの感光体に書き込まれる。
【００１８】
しかしながら、ＡＰＣ制御が行われた特許文献１に記載の光走査装置は、ＡＰＣ制御に長時間を要するという問題を有する。より詳細には、ＡＰＣ回路５００は、光がＹの感光体を走査される際に光源５０２が放射する光の強度Ｐを制御すると共に、光がＫの感光体を走査される際に光源５０２が放射する光の強度Ｐを制御している。Ｋの感光体の劣化の度合いとＹの感光体の劣化の度合いとが大きく異なる場合には、２つの光の強度Ｐも大きく異なる。２つの光の強度Ｐが大きく異なると、電圧Ｖａ，Ｖｂが大きく異なる。電圧ＶＳ−ＹＫの変動が大きくなる。電圧ＶＳ−ＹＫは、コンデンサ５１４の充放電によって変動する。そのため、電圧ＶＳ−ＹＫの変動が大きいと、コンデンサ５１４の充放電に必要な時間も長くなる。以上より、特許文献１に記載の光走査装置では、ＡＰＣ制御に長時間を要する。
【先行技術文献】
【特許文献】
【００１９】
【特許文献１】特開２００６−２８４８２２号公報
【発明の概要】
【発明が解決しようとする課題】
【００２０】
そこで、本発明の目的は、ＡＰＣ制御を短時間で行うことができる画像形成装置を提供することである。
【課題を解決するための手段】
【００２１】
本発明の一形態に係る画像形成装置は、第１のビームを放射する光源と、前記光源の出力を検知する検知手段と、前記第１のビームを第２のビーム及び第３のビームに分離する分離手段と、複数の偏向面を有する偏向手段であって、異なる偏向面を用いて前記第２のビーム及び第３のビームを偏向する偏向手段と、第１の期間において前記第２のビームにより走査される第１の感光体と、前記第１の期間とは異なる第２の期間において前記第３のビームにより走査される第２の感光体と、前記光源の出力に基づいて、前記第１の感光体が前記第２のビームにより走査されるときの該光源の自動光量制御を行う第１のＡＰＣ回路と、前記光源の出力に基づいて、前記第２の感光体が前記第３のビームにより走査されるときの該光源の自動光量制御を行う第２のＡＰＣ回路と、を備えていること、を特徴とする。
【発明の効果】
【００２２】
本発明によれば、ＡＰＣ制御を短時間で行うことができる。
【図面の簡単な説明】
【００２３】
【図１】画像形成装置の全体構成を示した図である。
【図２】光走査装置を上側から平面視した図である。
【図３】ＡＰＣ回路の回路図である。
【図４】偏向器によりビームが走査される様子を示した図である。
【図５】画像形成装置が感光体ドラムに静電潜像を形成する際のタイミングチャートである。
【図６】第１の変形例に係る動作におけるタイミングチャートである。
【図７】第２の変形例に係る動作におけるタイミングチャートである。
【図８】ＡＰＣ回路の回路図である。
【図９】ＡＰＣ制御時のタイミングチャートである。
【発明を実施するための形態】
【００２４】
以下に、本発明の実施形態に係る画像形成装置について説明する。
【００２５】
（画像形成装置の構成）
以下に、本発明の実施形態に係る画像形成装置について図面を参照しながら説明する。図１は、画像形成装置１の全体構成を示した図である。
【００２６】
画像形成装置１は、電子写真方式によるカラープリンタであって、いわゆるタンデム式で４色（Ｙ：イエロー、Ｍ：マゼンタ、Ｃ：シアン、Ｋ：ブラック）の画像を合成するように構成されている。該画像形成装置１は、スキャナにより読み取った画像データに基づいて、用紙に画像を形成する機能を有し、図１に示すように、印刷部２、給紙部１５、タイミングローラ対１９、定着装置２０、排紙ローラ対２１、排紙トレイ２３及び制御部８０を備えている。
【００２７】
制御部８０は、画像形成装置１全体の動作を制御し、例えば、ＣＰＵにより構成されている。
【００２８】
給紙部１５は、用紙（印刷媒体）を１枚ずつ供給する役割を果たし、用紙トレイ１６及び給紙ローラ１７を含む。用紙トレイ１６には、印刷前の状態の用紙が複数枚重ねて載置される。給紙ローラ１７は、用紙トレイ１６に載置された用紙を１枚ずつ取り出す。
【００２９】
タイミングローラ対１９は、給紙ローラ１７により搬送されてきた用紙にトナー画像が印刷部２において２次転写されるように、タイミングを調整しながら用紙を搬送する。
【００３０】
印刷部２は、給紙部１５から供給されてくる用紙にトナー画像を形成し、光走査装置６、転写部８（８Ｙ，８Ｍ，８Ｃ，８Ｋ）、中間転写ベルト１１、駆動ローラ１２、従動ローラ１３、２次転写ローラ１４及び作像ユニット２２（２２Ｙ，２２Ｍ，２２Ｃ，２２Ｋ）を含んでいる。また、作像ユニット２２（２２Ｙ，２２Ｍ，２２Ｃ，２２Ｋ）は、感光体ドラム４（４Ｙ，４Ｍ，４Ｃ，４Ｋ）、帯電器５（５Ｙ，５Ｍ，５Ｃ，５Ｋ）、現像装置７（７Ｙ，７Ｍ，７Ｃ，７Ｋ）及びクリーナー９（９Ｙ，９Ｍ，９Ｃ，９Ｋ）を含んでいる。
【００３１】
感光体ドラム４（４Ｙ，４Ｍ，４Ｃ，４Ｋ）は、円筒形状をなしており、図１において時計回りに回転させられる。帯電器５（５Ｙ，５Ｍ，５Ｃ，５Ｋ）は、感光体ドラム４（４Ｙ，４Ｍ，４Ｃ，４Ｋ）の周面を帯電させる。光走査装置６は、感光体ドラム４（４Ｙ，４Ｍ，４Ｃ，４Ｋ）の周面に対してビームＢ（ＢＹ，ＢＭ，ＢＣ，ＢＫ）を走査する。なお、光走査装置６の詳細については後述する。これにより、感光体ドラム４（４Ｙ，４Ｍ，４Ｃ，４Ｋ）の周面には静電潜像が形成される。
【００３２】
現像装置７（７Ｙ，７Ｍ，７Ｃ，７Ｋ）は、感光体ドラム４（４Ｙ，４Ｍ，４Ｃ，４Ｋ）に静電潜像に基づくトナー画像を現像する。
【００３３】
転写ベルト１１は、駆動ローラ１２と従動ローラ１３との間に張り渡されている。転写部８は、中間転写ベルト１１の内周面に対向するように配置されており、感光体ドラム４に形成されたトナー画像を中間転写ベルト１１に１次転写する役割を果たす。クリーナー９は、１次転写後に感光体ドラム４の周面に残存しているトナーを回収する。駆動ローラ１２は、中間転写ベルト駆動部（図１には記載せず）により回転させられることにより、中間転写ベルト１１を矢印αの方向に駆動させる。これにより、中間転写ベルト１１は、トナー画像を２次転写ローラ１４まで搬送する。
【００３４】
２次転写ローラ１４は、中間転写ベルト１１と対向し、ドラム形状をなしている。そして、２次転写ローラ１４は、転写電圧が印加されることにより、中間転写ベルト１１との間を通過する用紙に対して、中間転写ベルト１１が担持しているトナー画像を２次転写する。
【００３５】
トナー画像が２次転写された用紙は、定着装置２０に搬送される。定着装置２０は、用紙に対して加熱処理及び加圧処理を施すことにより、トナー画像を用紙に定着させる。排紙ローラ対２１は、定着装置２０から搬送されてきた用紙を排紙トレイ２３に排出する。排紙トレイ２３には、印刷済みの用紙が載置される。
【００３６】
（光走査装置の構成）
次に、光走査装置６について図面を参照しながら説明する。図２は、光走査装置６を上側から平面視した図である。なお、図２では、ビームＢＹ，ＢＫを走査する構成のみが記載されている。ただし、ビームＢＭ，ＢＣを走査する構成については、ビームＢＹ，ＢＫを走査する構成と同じである。よって、以下では、ビームＢＹ，ＢＫを走査する構成について説明を行う。また、図２では、左右方向を主走査方向とする。感光体ドラム４Ｙでは、右側が上流側であり、感光体ドラム４Ｋでは、左側が上流側である。
【００３７】
光走査装置６は、図２に示すように、レーザダイオード３０ＹＫ、コリメータレンズ３２ＹＫ、スリット３４ＹＫ、シリンドリカルレンズ３６ＹＫ、分割部３８ＹＫ、ミラー４０（４０Ｙ，４０Ｋ）、偏向器４３、走査レンズ４４（４４Ｙ，４４Ｋ），４６（４６Ｙ，４６Ｋ）、レンズ４８及びセンサ５０を備えている。
【００３８】
レーザダイオード３０ＹＫは、例えば、レーザダイオードにより構成され、ビームＢＹＫを放射する光源である。コリメータレンズ３２ＹＫは、レーザダイオード３０ＹＫが放射したビームＢＹＫを水平面内において略平行な光に整形する。スリット３４ＹＫは、コリメータレンズ３２ＹＫを通過したビームＢＹＫの光束幅を規制する。シリンドリカルレンズ３６ＹＫは、ビームＢＹＫを上下方向に集光する。
【００３９】
分離部３８ＹＫは、例えば、ハーフミラーにより構成され、ビームＢＹＫをビームＢＹ，ＢＫに分離する。具体的には、分離部３８ＹＫは、図２に示すように、ビームＢＹＫの経路上に位置しており、ビームＢＹＫの一部をビームＢＹとして反射すると共に、ビームＢＹＫの一部を透過してビームＢＫとする。ミラー４０Ｙ，４０Ｋは、ビームＢＹ，ＢＫを偏向器４３側へ反射する。
【００４０】
偏向器４３は、ポリゴンミラー４２及び駆動部４５により構成されている。ポリゴンミラー４２は、複数（６つ）の偏向面を有している。駆動部４５は、ポリゴンミラー４２を図２において反時計回りに回転させるモーターである。偏向器４３は、異なる偏向面を用いてビームＢＹ，ＢＫをビームＢＹ，ＢＫに対応する感光体ドラム４Ｙ，４Ｋに向けて偏向する。すなわち、ビームＢＹ，ＢＫはそれぞれ、互いに異なる偏向面に入射する。そして、偏向器４３は、ビームＢＹを図２の上側に反射すると共に、ビームＢＹを図２の右側から左側へと走査させる。また、偏向器４３は、ビームＢＫを図２の下側に反射すると共に、ビームＢＫを図２の左側から右側へと走査させる。
【００４１】
走査レンズ４４Ｙ，４６Ｙは、偏向器４３により偏向されたビームＢＹが通過するレンズであり、該ビームＢＹを感光体ドラム４Ｙに結像させる。これにより、ビームＢＹは、図２に示すように、主走査方向（図２の左右方向）に等速で走査される。なお、走査レンズ４４Ｙ，４６Ｙと感光体ドラム４Ｙとの間には、複数のミラーが設けられているが、図２では省略されている。
【００４２】
走査レンズ４４Ｋ，４６Ｋは、偏向器４３により偏向されたビームＢＫが通過するレンズであり、該ビームＢＫを感光体ドラム４Ｋに結像させる。これにより、ビームＢＫは、図２に示すように、主走査方向（図２の左右方向）に等速で走査される。なお、走査レンズ４４Ｋ，４６Ｋと感光体ドラム４Ｋとの間には、複数のミラーが設けられているが、図２では省略されている。
【００４３】
感光体ドラム４Ｙ，４Ｋは、所定速度で回転駆動される。そして、ビームＢＹ，ＢＫによる主走査と感光体ドラム４Ｙ，４Ｋの回転による副走査にて２次元の静電潜像が形成される。
【００４４】
レンズ４８及びセンサ５０は、走査レンズ４４Ｋよりも主走査方向の上流側（図２の左側）に設けられている。レンズ４８は、走査レンズ４４Ｋを通過せずに、走査レンズ４４Ｋの主走査方向の上流側を通過した光を集光する。センサ５０は、レンズ４８により集光されたビームＢＫを検知することにより、ＳＯＳ同期信号ＳＯＳを生成する。
【００４５】
ところで、感光体ドラム４Ｙ，４Ｍ，４Ｃ，４Ｋは、適切な強度のビームＢＹ，ＢＭ，ＢＣ，ＢＫにより走査される必要がある。より詳細には、感光体ドラム４Ｙ，４Ｍ，４Ｃ，４Ｋの劣化の度合いはそれぞれ異なっているので、ビームＢＹ，ＢＭ，ＢＣ，ＢＫの適切な強度は感光体ドラム４Ｙ，４Ｍ，４Ｃ，４Ｋ毎に異なっている。そのため、画像形成装置１では、一般的には、以下に説明するＡＰＣ制御（自動光量制御）が行われる。図３は、ＡＰＣ回路６０Ｙ，６０Ｋの回路図である。以下では、ビームＢＹ，ＢＫのＡＰＣ制御を行うＡＰＣ回路６０Ｙ，６０Ｋについて説明する。ＡＰＣ回路６０Ｍ，６０Ｃの構成は、ＡＰＣ回路６０Ｙ，６０Ｋと同じであるので説明を省略する。
【００４６】
ＡＰＣ制御とは、ビームＢＹ，ＢＭ，ＢＣ，ＢＫが感光体ドラム４Ｙ，４Ｍ，４Ｃ，４Ｋを走査される前に、制御部８０がビームＢＹ，ＢＭ，ＢＣ，ＢＫの強度をフィードバック制御する動作である。図３に示すように、ＡＰＣ回路６０Ｋは、スイッチ６６Ｋ、オペアンプ６８Ｋ、定電流回路７０Ｋ、抵抗７２Ｋ及びコンデンサ７４Ｋを備えており、感光体ドラム４ＫがビームＢＫにより走査されるときのレーザダイオード３０ＹＫのＡＰＣ制御を行う。ＡＰＣ回路６０Ｙは、スイッチ６６Ｙ、オペアンプ６８Ｙ、定電流回路７０Ｙ、抵抗７２Ｙ及びコンデンサ７４Ｙを備えており、感光体ドラム４ＹがビームＢＹにより走査されるときのレーザダイオード３０ＹＫのＡＰＣ制御を行う。ＡＰＣ回路６０Ｙ，６０Ｋは、以下に説明するように、レーザダイオード３０ＹＫの出力に基づいて、コンデンサ７４Ｙ，７４Ｋの充放電によりレーザダイオード３０ＹＫに流れる電流値を制御して、レーザダイオード３０ＹＫのＡＰＣ制御を行う。また、ＡＰＣ回路６０Ｙ，６０Ｋには、レーザダイオード３０ＹＫ及びフォトダイオード６２ＹＫが接続されている。フォトダイオード６２ＹＫは、レーザダイオード３０ＹＫの出力を検知する。具体的には、フォトダイオード６２ＹＫは、レーザダイオード３０ＹＫが放射したビームの強度を検知する。
【００４７】
また、レーザダイオード３０ＹＫとＡＰＣ回路６０Ｙ，６０Ｋとの間には、スイッチ６４ＹＫ，７６ＹＫが直列に接続されている。フォトダイオード６２ＹＫとＡＰＣ回路６０Ｙ，６０Ｋとの間には、スイッチ７７ＹＫが接続されている。
【００４８】
スイッチ６４ＹＫは、レーザダイオード３０ＹＫに接続されており、ＶＩＤＥＯ信号ＹＫによりレーザダイオード３０ＹＫとＡＰＣ回路６０Ｙ，６０Ｋとの間の導通又は遮断を切り替える。ＶＩＤＥＯ信号ＹＫは、レーザダイオード３０ＹＫの点灯を制御するためのハイレベルとローレベルとからなる２値信号であり、ＹとＫの画像データに基づいて、制御部８０において生成される。ハイレベルでレーザダイオード３０ＹＫが消灯し、ローレベルでレーザダイオード３０ＹＫが点灯する。
【００４９】
スイッチ７６ＹＫは、スイッチ６４ＹＫに接続されており、ＳＥＬＥＣＴ信号によりレーザダイオード３０ＹＫとＡＰＣ回路６０Ｙ又はＡＰＣ回路６０Ｋとの接続を切り替える。スイッチ７７ＹＫは、フォトダイオード６２ＹＫに接続されており、ＳＥＬＥＣＴ信号によりフォトダイオード６２ＹＫとＡＰＣ回路６０Ｙ又はＡＰＣ回路６０Ｋとの接続を切り替える。ＳＥＬＥＣＴ信号は、駆動させるＡＰＣ回路６０Ｙ，６０Ｋを選択するためのハイレベルとローレベルとからなる２値信号であり、制御部８０において生成される。ハイレベルでＡＰＣ回路６０Ｋが選択され、ローレベルでＡＰＣ回路６０Ｙが選択される。
【００５０】
オペアンプ６８Ｋ、スイッチ６６Ｋ及び定電流回路７０Ｋは、この順に直列に接続されている。オペアンプ６８Ｋの反転入力端子には、スイッチ７７ＹＫが接続されている。オペアンプ６８Ｋの非反転入力端子には、発光光量信号Ｋが入力している。発光光量信号Ｋは、ビームＢＫのＡＰＣ制御を行うための基準となる信号であり、感光体ドラム４Ｋの劣化度合い等に応じた電圧を有している。すなわち、発光光量信号Ｋの電圧は、感光体ドラム４Ｋの劣化度合いが進んで感光体ドラム４Ｋの感度が低下するにしたがって、高くなる。発光光量信号Ｋは、制御部８０において生成される。
【００５１】
スイッチ６６Ｋは、ＡＰＣ信号Ｋにより導通状態と非導通状態とが切り換えられる。ＡＰＣ信号Ｋは、ＡＰＣ回路６０ＫにＡＰＣ制御を行わせるか否かを決定するハイレベルとローレベルとからなる２値信号であり、制御部８０において生成される。ローレベルでＡＰＣ制御が行われ、ハイレベルでＡＰＣ制御が行われない。定電流回路７０Ｋは、スイッチ７６ＹＫに接続されている。
【００５２】
また、フォトダイオード６２ＹＫと接地電位との間には、抵抗７２Ｋが接続されている。これにより、フォトダイオード６２ＹＫから出力された電流が電圧ＶＲ−Ｋに変換されて、該電圧ＶＲ−Ｋがオペアンプ６８Ｋの反転入力端子に入力する。
【００５３】
また、スイッチ６６Ｋと定電流回路７０Ｋとの間には、コンデンサ７４Ｋの一端が接続されている。コンデンサ７４Ｋの他端は、接地されている。
【００５４】
オペアンプ６８Ｙ、スイッチ６６Ｙ及び定電流回路７０Ｙは、この順に直列に接続されている。オペアンプ６８Ｙの反転入力端子には、スイッチ７７ＹＫが接続されている。オペアンプ６８Ｙの非反転入力端子には、発光光量信号Ｙが入力している。発光光量信号Ｙは、ビームＢＹのＡＰＣ制御を行うための基準となる信号であり、感光体ドラム４Ｙの劣化度合い等に応じた電圧を有している。すなわち、発光光量信号Ｙの電圧は、感光体ドラム４Ｙの劣化度合いが進んで感光体ドラム４Ｙの感度が低下するにしたがって、高くなる。発光光量信号Ｙは、制御部８０において生成される。
【００５５】
スイッチ６６Ｙは、ＡＰＣ信号Ｙにより導通状態と非導通状態とが切り換えられる。ＡＰＣ信号Ｙは、ＡＰＣ回路６０ＹにＡＰＣ制御を行わせるか否かを決定するハイレベルとローレベルとからなる２値信号であり、制御部８０において生成される。ローレベルでＡＰＣ制御が行われ、ハイレベルでＡＰＣ制御が行われない。定電流回路７０Ｙは、スイッチ７６ＹＫに接続されている。
【００５６】
また、フォトダイオード６２ＹＫと接地電位との間には、抵抗７２Ｙが接続されている。これにより、フォトダイオード６２ＹＫから出力された電流が電圧ＶＲ−Ｙに変換されて、該電圧ＶＲ−Ｙがオペアンプ６８Ｙの反転入力端子に入力する。
【００５７】
また、スイッチ６６Ｙと定電流回路７０Ｙとの間には、コンデンサ７４Ｙの一端が接続されている。コンデンサ７４Ｙの他端は、接地されている。
【００５８】
次に、ＡＰＣ回路６０Ｙ，６０Ｋの動作について説明する。定電流回路７０Ｋが出力する電流を電流ＩＡＰＣ−Ｋとする。定電流回路７０Ｙが出力する電流を電流ＩＡＰＣ−Ｙとする。レーザダイオード３０ＹＫに流れる電流を電流ＩＳＷ−ＹＫとする。フォトダイオード６２ＹＫが抵抗７２Ｋに出力する電流を電流ＩＭ−Ｋとする。フォトダイオード６２ＹＫが抵抗７２Ｙに出力する電流を電流ＩＭ−Ｙとする。オペアンプ６８Ｋの反転入力端子に入力する電圧を電圧ＶＲ−Ｋとする。コンデンサ７４Ｋに印加される電圧を電圧ＶＳ−Ｋとする。オペアンプ６８Ｙの反転入力端子に入力する電圧を電圧ＶＲ−Ｙとする。コンデンサ７４Ｙに印加される電圧を電圧ＶＳ−Ｙとする。
【００５９】
まず、ＡＰＣ回路６０ＫがＡＰＣ制御を行う動作について説明する。ＳＥＬＥＣＴ信号は、ハイレベルである。これにより、スイッチ７６ＹＫ，７７ＹＫは、ＡＰＣ回路６０Ｋに接続される。
【００６０】
定電流回路７０Ｋは、電圧ＶＳ−Ｋに応じた大きさの電流ＩＡＰＣ−Ｋを出力する。ここで、ＶＩＤＥＯ信号ＹＫがハイレベルからローレベルに切り替わると、スイッチ６４ＹＫが非導通状態から導通状態に切り替えられる。これにより、レーザダイオード３０ＹＫには、電流ＩＡＰＣ−Ｋに応じた電流ＩＳＷ−ＹＫが流れる。
【００６１】
レーザダイオード３０ＹＫは、電流ＩＳＷ−ＹＫの大きさに応じた強度のビームＢＹＫを放射する。ビームＢＹＫの一部は、フォトダイオード６２ＹＫに入射する。フォトダイオード６２ＹＫは、ビームの強度に応じた電流ＩＭ−Ｋを出力する。電流ＩＭ−Ｋは、スイッチ７７ＹＫを経由して抵抗７２Ｋを流れることによって、電圧ＶＲ−Ｋに変換される。
【００６２】
ここで、ＡＰＣ信号Ｋがローレベルであると、スイッチ６６Ｋが導通状態となる。そして、オペアンプ６８Ｋは、発光光量信号Ｋが電圧ＶＲ−Ｋよりも高い場合にはコンデンサ７４Ｋに充電電流を流して電圧ＶＳ−Ｋを高くし、発光光量信号Ｋが電圧ＶＲ−Ｋよりも低い場合にはコンデンサ７４Ｋに放電電流を流して電圧ＶＳ−Ｋを低くする。これにより、定電流回路７０Ｋは、電圧ＶＳ−Ｋに応じた電流ＩＡＰＣ−Ｋを出力する。すなわち、ＡＰＣ回路６０Ｋは、レーザダイオード３０ＹＫが放射するビームＢＹＫの強度Ｐが所定強度よりも小さい場合には、該ビームＢＹＫの強度Ｐが所定強度になるように、電流ＩＡＰＣ−Ｋを大きくする。一方、ＡＰＣ回路６０Ｋは、レーザダイオード３０ＹＫが放射するビームＢＹＫの強度が所定強度よりも大きい場合には、該ビームＢＹＫの強度が所定強度になるように、電流ＩＡＰＣ−Ｋを小さくする。
【００６３】
また、ＡＰＣ信号Ｋがハイレベルであると、スイッチ６６Ｋが非導通状態となる。この場合には、コンデンサ７４Ｋの充放電がなされないので電圧ＶＲ−Ｋが維持される。
【００６４】
次に、ＡＰＣ回路６０ＹがＡＰＣ制御を行う動作について説明する。ＳＥＬＥＣＴ信号は、ローレベルである。これにより、スイッチ７６ＹＫ，７７ＹＫは、ＡＰＣ回路６０Ｙに接続される。
【００６５】
定電流回路７０Ｙは、電圧ＶＳ−Ｙに応じた大きさの電流ＩＡＰＣ−Ｙを出力する。ここで、ＶＩＤＥＯ信号ＹＫがハイレベルからローレベルに切り替わると、スイッチ６４ＹＫが非導通状態から導通状態に切り替えられる。これにより、レーザダイオード３０ＹＫには、電流ＩＡＰＣ−Ｙに応じた電流ＩＳＷ−ＹＫが流れる。
【００６６】
レーザダイオード３０ＹＫは、電流ＩＳＷ−ＹＫの大きさに応じた強度のビームＢＹＫを放射する。ビームＢＹＫの一部は、フォトダイオード６２ＹＫに入射する。フォトダイオード６２ＹＫは、ビームの強度に応じた電流ＩＭ−Ｙを出力する。電流ＩＭ−Ｙは、スイッチ７７ＹＫを経由して抵抗７２Ｙを流れることによって、電圧ＶＲ−Ｙに変換される。
【００６７】
ここで、ＡＰＣ信号Ｙがローレベルであると、スイッチ６６Ｙが導通状態となる。そして、オペアンプ６８Ｙは、発光光量信号Ｙが電圧ＶＲ−Ｙよりも高い場合にはコンデンサ７４Ｙに充電電流を流して電圧ＶＳ−Ｙを高くし、発光光量信号Ｙが電圧ＶＲ−Ｙよりも低い場合にはコンデンサ７４Ｙに放電電流を流して電圧ＶＳ−Ｙを低くする。これにより、定電流回路７０Ｙは、電圧ＶＳ−Ｙに応じた電流ＩＡＰＣ−Ｙを出力する。すなわち、ＡＰＣ回路６０Ｙは、レーザダイオード３０ＹＫが放射するビームＢＹＫの強度Ｐが所定強度よりも小さい場合には、該ビームＢＹＫの強度Ｐが所定強度になるように、電流ＩＡＰＣ−Ｙを大きくする。一方、ＡＰＣ回路６０Ｙは、レーザダイオード３０ＹＫが放射するビームＢＹＫの強度が所定強度よりも大きい場合には、該ビームＢＹＫの強度が所定強度になるように、電流ＩＡＰＣ−Ｙを小さくする。
【００６８】
また、ＡＰＣ信号Ｙがハイレベルであると、スイッチ６６Ｙが非導通状態となる。この場合には、コンデンサ７４Ｙの充放電がなされないので電圧ＶＲ−Ｙが維持される。
【００６９】
（画像形成装置の動作）
次に、画像形成装置１の動作について図面を参照しながら説明する。図４は、偏向器４３によりビームＢＹ，ＢＫが走査される様子を示した図である。図４において、ＳＯＳＫは、Ｓｔａｒｔ  Ｏｆ  Ｓｃａｎであり、センサ５０にビームＢＹ，ＢＫが入射する位置を意味している。図４において、ＳＯＳＹは、Ｓｔａｒｔ  Ｏｆ  Ｓｃａｎであり、感光体ドラム４Ｙの上流端よりも主走査方向の上流側にビームＢＹが入射する位置を意味している。図４において、ＳＯＩＹ，ＳＯＩＫは、Ｓｔａｒｔ  Ｏｆ  Ｉｍａｇｅであり、感光体ドラム４Ｙ，４Ｋの主走査方向の上流端にビームＢＹ，ＢＫが入射する位置を意味している。図４において、ＥＯＩＹ，ＥＯＩＫは、Ｅｎｄ  Ｏｆ  Ｉｍａｇｅであり、感光体ドラム４Ｙ，４Ｋの主走査方向の下流端にビームＢＹ，ＢＫが入射する位置を意味している。
【００７０】
画像形成装置１では、ビームＢＹ、ＢＫはそれぞれ、互いに異なる期間ＴＹ，ＴＫにおいて感光体ドラム４Ｙ，４Ｋを走査される。すなわち、ビームＢＹが感光体ドラム４Ｙを走査されている期間ＴＹでは、ビームＢＫが感光体ドラム４Ｋを走査されていない。一方、ビームＢＫが感光体ドラム４Ｋを走査されている期間ＴＫでは、ビームＢＹが感光体ドラム４Ｙを走査されていない。
【００７１】
図４（ａ）に示すように、ビームＢＫが感光体ドラム４Ｋの走査を開始するためにＳＯＳＫよりも主走査方向の上流側に位置しているときには、ビームＢＹが感光体ドラム４Ｙの走査を終了してＥＯＩＹよりも下流側に位置している。
【００７２】
次に、ポリゴンミラー４２が回転させられると、図４（ｂ）に示すように、ビームＢＫは、ＳＯＩＫよりも主走査方向の下流側へと走査される。これにより、感光体ドラム４Ｋに対して静電潜像の形成が行われている。一方、ビームＢＹは、図４（ａ）よりも更に主走査方向の下流側に走査される。よって、感光体ドラム４Ｙに対して静電潜像の形成が行われていない。
【００７３】
次に、ポリゴンミラー４２が回転させられると、図４（ｃ）に示すように、ビームＢＫは、図４（ｂ）よりも更に主走査方向の下流側へと走査される。これにより、感光体ドラム４Ｋに対して静電潜像の形成が行われている。一方、ビームＢＹは、図４（ｂ）において入射している偏向面とは異なる偏向面に入射するようになる。これにより、ビームＢＹは、ＳＯＳＹよりも主走査方向の上流側に位置している。よって、感光体ドラム４Ｙに対して静電潜像の形成が行われていない。
【００７４】
次に、ポリゴンミラー４２が回転させられると、図４（ｄ）に示すように、ビームＢＫは、ＥＯＩＫよりも主走査方向の下流側に位置している。これにより、感光体ドラム４Ｋに対して静電潜像の形成が完了する。一方、ビームＢＹは、感光体ドラム４Ｙの走査を開始するために、ＳＯＳＹよりも主走査方向の上流側に位置している。
【００７５】
次に、ポリゴンミラー４２が回転させられると、図４（ｅ）に示すように、ビームＢＹは、ＳＯＩＹよりも主走査方向の下流側へと走査される。これにより、感光体ドラム４Ｙに対して静電潜像の形成が行われている。一方、ビームＢＫは、図４（ｄ）よりも更に主走査方向の下流側に走査される。よって、感光体ドラム４Ｋに対して静電潜像の形成が行われていない。
【００７６】
次に、ポリゴンミラー４２が回転させられると、図４（ｆ）に示すように、ビームＢＹは、図４（ｅ）よりも更に主走査方向の下流側へと走査される。これにより、感光体ドラム４Ｙに対して静電潜像の形成が行われている。一方、ビームＢＫは、図４（ｅ）において入射している偏向面とは異なる偏向面に入射するようになる。これにより、ビームＢＫは、ＳＯＳＫよりも主走査方向の上流側に位置している。よって、感光体ドラム４Ｋに対して静電潜像の形成が行われていない。
【００７７】
次に、画像形成装置１がカラー画像を用紙に形成する際に行う動作について図面を参照しながら説明する。図５は、画像形成装置１が感光体ドラム４Ｙ，４Ｋに静電潜像を形成する際のタイミングチャートである。
【００７８】
制御部８０は、時刻ｔ１において、ＳＥＬＥＣＴ信号をローレベルからハイレベルに切り替える。これにより、スイッチ７６ＹＫ，７７ＹＫにより、ＡＰＣ回路６０Ｋが選択される。
【００７９】
次に、制御部８０は、時刻ｔ２において、ＡＰＣ信号Ｋをハイレベルからローレベルに切り替える。これにより、ＡＰＣ回路６０Ｋは、ＡＰＣ信号Ｋがローレベルである期間において、感光体ドラム４ＫがビームＢＫにより走査されるときのレーザダイオード３０ＹＫのＡＰＣ制御を行う。ＡＰＣ制御の詳細については、既に説明を行ったので省略する。ＡＰＣ制御によって、ビームＢＹＫの強度Ｐが所定の強度に設定される。また、時刻ｔ３において、ビームＢＫがセンサ５０に入射することにより、ＳＯＳ同期信号ＳＯＳがハイレベルからローレベルに切り替わる。
【００８０】
時刻ｔ３から所定時間が経過して時刻ｔ４となったら、ビームＢＫがＳＯＩＫに到達する。そこで、制御部８０は、ＶＩＤＥＯ信号ＹＫに基づいて、レーザダイオード３０ＹＫにビームＢＹＫを放射させる。このときのビームＢＹＫの強度Ｐは、時刻ｔ２において行ったＡＰＣ制御で設定された強度である。ビームＢＹＫは、分離部３８ＹＫによりビームＢＹ，ＢＫに分離される。そして、ビームＢＫは、感光体ドラム４Ｋを走査される。このとき、ビームＢＹは、感光体ドラム４Ｙ外を走査している。
【００８１】
時刻ｔ５において、ビームＢＫがＥＯＩＫに到達する。これにより、感光体ドラム４Ｋへの静電潜像の形成が完了する。時刻ｔ４から時刻ｔ５までの期間は、感光体ドラム４ＫにビームＢＫが走査される期間ＴＫである。
【００８２】
制御部８０は、時刻ｔ６において、ＳＥＬＥＣＴ信号をハイレベルからローレベルに切り替える。これにより、スイッチ７６ＹＫ，７７ＹＫにより、ＡＰＣ回路６０Ｙが選択される。
【００８３】
次に、時刻ｔ７となったら、ビームＢＹがＳＯＩＹに到達する。そこで、制御部８０は、ＶＩＤＥＯ信号ＹＫに基づいて、レーザダイオード３０ＹＫにビームＢＹＫを放射させる。このときのビームＢＹＫの強度Ｐは、時刻ｔ２の直前において行ったＡＰＣ制御（図５には図示せず）で設定された強度である。ビームＢＹＫは、分離部３８ＹＫによりビームＢＹ，ＢＫに分離される。そして、ビームＢＹは、感光体ドラム４Ｙを走査される。このとき、ビームＢＫは、感光体ドラム４ＹＫを走査している。
【００８４】
時刻ｔ８において、ビームＢＹがＥＯＩＹに到達する。これにより、感光体ドラム４Ｙへの静電潜像の形成が完了する。時刻ｔ７から時刻ｔ８までの期間は、感光体ドラム４ＹにビームＢＹが走査される期間ＴＹである。
【００８５】
次に、制御部８０は、時刻ｔ９において、ＡＰＣ信号Ｙをハイレベルからローレベルに切り替える。これにより、ＡＰＣ回路６０Ｙは、ＡＰＣ信号Ｙがローレベルである期間において、感光体ドラム４ＹがビームＢＹにより走査されるときのレーザダイオード３０ＹＫのＡＰＣ制御を行う。ＡＰＣ制御の詳細については、既に説明を行ったので省略する。
【００８６】
この後、時刻ｔ１〜時刻ｔ９までの動作が繰り返されることにより、感光体ドラム４Ｙ，４Ｋに静電潜像が形成される。
【００８７】
（効果）
本実施形態に係る画像形成装置１によれば、ＡＰＣ制御を短時間で行うことができる。より詳細には、特許文献１に記載の光走査装置においてＡＰＣ制御を行った場合、ＡＰＣ回路５００は、光がＹの感光体を走査される際に光源５０２が放射する光の強度Ｐを制御すると共に、光がＫの感光体を走査される際に光源５０２が放射する光の強度Ｐを制御している。Ｋの感光体の劣化の度合いとＹの感光体の劣化の度合いとが大きく異なる場合には、２つの光の強度Ｐも大きく異なる。２つの光の強度Ｐが大きく異なると、電圧Ｖａ，Ｖｂが大きく異なる。電圧ＶＳ−ＹＫの変動が大きくなる。電圧ＶＳ−ＹＫは、コンデンサ５１４の充放電によって変動する。そのため、電圧ＶＳ−ＹＫの変動が大きいと、コンデンサ５１４の充放電に必要な時間も長くなる。以上より、特許文献１に記載の光走査装置では、ＡＰＣ制御に長時間を要する。
【００８８】
そこで、画像形成装置１では、ＡＰＣ回路６０Ｋは、感光体ドラム４ＫがビームＢＫにより走査されるときのレーザダイオード３０ＹＫのＡＰＣ制御を行い、ＡＰＣ回路６０Ｙは、感光体ドラム４ＹがビームＢＹにより走査されるときのレーザダイオード３０ＹＫのＡＰＣ制御を行っている。これにより、電圧ＶＳ−Ｙ，ＶＳ−Ｋの変動が抑制される。その結果、コンデンサ７４Ｙ，７４Ｋの充放電に必要な時間が短くなる。よって、画像形成装置１では、ＡＰＣ制御を短時間で行うことができる。
【００８９】
また、ＡＰＣ制御を短時間で行うことができると、画像形成装置１の小型化が図られる。より詳細には、画像形成装置１では、ＡＰＣ制御が行われている間もビームＢＹ，ＢＫの走査が行われている。したがって、ＡＰＣ制御が短時間で行われると、ビームＢＹ，ＢＫが走査される距離が短くなる。その結果、画像形成装置１の小型化が図られる。
【００９０】
（第１の変形例）
以下に、第１の変形例に係る動作について説明する。図６は、第１の変形例に係る動作におけるタイミングチャートである。図６では、ＳＯＳ同期信号ＳＯＳ及びビームＢＹＫの強度Ｐのみを示した。
【００９１】
図５に示すタイミングチャートでは、ＡＰＣ回路６０Ｋは、期間ＴＫの直前にＡＰＣ制御を行い、ＡＰＣ回路６０Ｙは、期間ＴＹの直後にＡＰＣ制御を行っている。一方、図６に示すタイミングチャートでは、ＡＰＣ回路６０Ｋは、期間ＴＫの直前にＡＰＣ制御を行い、ＡＰＣ回路６０Ｙは、期間ＴＹの直前にＡＰＣ制御を行っている。
【００９２】
以上のような第１の変形例に係る動作を行う画像形成装置１においても、ＡＰＣ制御を短時間で行うことができる。
【００９３】
（第２の変形例）
以下に、第２の変形例に係る動作について説明する。図７は、第２の変形例に係る動作におけるタイミングチャートである。図７では、ＳＯＳ同期信号ＳＯＳ及びビームＢＹＫの強度Ｐのみを示した。
【００９４】
図６に示すタイミングチャートでは、ＡＰＣ回路６０Ｋは、期間ＴＫの直前にＡＰＣ制御を行い、ＡＰＣ回路６０Ｙは、期間ＴＹの直前にＡＰＣ制御を行っている。一方、図７に示すタイミングチャートでは、ＡＰＣ回路６０Ｋ，６０Ｙは、期間ＴＹの終了から期間ＴＫの開始までの期間Ｔ１においてＡＰＣ制御を行っている。
【００９５】
より詳細には、図２に示す光走査装置６では、感光体ドラム４Ｋよりも主走査方向の上流側にセンサ５０が設けられている。この場合、センサ５０にビームＢＫを入射させるために、感光体ドラム４Ｋよりも主走査方向の上流側を走査する時間を感光体ドラム４Ｋを主走査方向の下流側を走査する時間よりも長く設定する必要がある。感光体ドラム４Ｋよりも主走査方向の上流側を走査する時間とは、期間ＴＹの終了から期間ＴＫの開始までの期間Ｔ１の一部に相当し、感光体ドラム４Ｋよりも主走査方向の下流側を走査する時間とは、期間ＴＫの終了から期間ＴＹの開始までの期間Ｔ２の一部に相当する。よって、期間Ｔ１は期間Ｔ２よりも長くなる。そこで、ＡＰＣ回路６０Ｋ，６０Ｙは、期間Ｔ１（すなわち、ビームＢＫが感光体ドラム４Ｋよりも主走査方向の上流側を走査されている期間）においてＡＰＣ制御を行っている。
【００９６】
以上のように構成された画像形成装置１によれば、光走査装置６の小型化を図ることができる。より詳細には、光走査装置６の小型化を図るためには、感光体ドラム４Ｋ，４Ｙをそれぞれ偏向器４３に近づけることが考えられる。この場合には、ビームＢＹ，ＢＫの画角θ（図２参照）が大きくなるので、期間ＴＹ，ＴＫが長くなり、ＡＰＣ制御を行うことができる期間が短くなってしまう。
【００９７】
そこで、画像形成装置１では、センサ５０にビームＢＫが入射する期間、すなわち、ビームＢＫが感光体ドラム４Ｋよりも主走査方向の上流側を走査されている期間において、ＡＰＣ回路６０Ｙ，６０ＫはＡＰＣ制御を行っている。これにより、光走査装置６の小型化を図りつつ、ＡＰＣ制御を行うことが可能となる。
【００９８】
（その他の実施形態）
本発明に係る光走査装置及び画像形成装置は、前記実施形態に係る画像形成装置１に限らずその要旨の範囲において変更可能である。
【００９９】
画像形成装置１では、１つのポリゴンミラ−４２によりビームＢＹ，ＢＫが偏向されている。しかしながら、画像形成措置１において、特許文献１に記載の光走査装置のように、２つのポリゴンミラーがずらされた状態で重ねられていてもよい。
【産業上の利用可能性】
【０１００】
以上のように、本発明は、画像形成装置に有用であり、特に、ＡＰＣ制御を短時間で行うことができる点において優れている。
【符号の説明】
【０１０１】
１      画像形成装置
４Ｙ，４Ｍ，４Ｃ，４Ｋ  感光体ドラム
６     光走査装置
３０ＹＫ  レーザダイオード
３８ＹＫ  分割部
４２  ポリゴンミラー
４３  偏向器
５０  センサ
６０Ｙ，６０Ｋ  ＡＰＣ回路
６２ＹＫ  フォトダイオード
７４Ｋ，７４Ｙ  コンデンサ
８０  制御部
【図１】
2013156520.tif 000003
【図２】
2013156520.tif 000004
【図３】
2013156520.tif 000005
【図４】
2013156520.tif 000006
【図５】
2013156520.tif 000007
【図６】
2013156520.tif 000008
【図７】
2013156520.tif 000009
【図８】
2013156520.tif 000010
【図９】
2013156520.tif 000011